(57)【要約】      （修正有）【課題】お守りなどを例えば自動車の窓ガラスの内面などに装着しても、お守りなどが大きく揺れて運転者の視界の妨げになる事がない、安全に運転できるお守りを提供する。【解決手段】お守りなどが収納された袋部の裏面に板状部２３を貼着し、板状部２３の上端に一体に設けられた吸盤連結部２７を吸盤１０の横孔１５内に嵌入して回転自在に軸止する。【効果】吸盤１０を例えば車の窓ガラスに貼着し、袋部の角度を調整して見やすい位置に位置決めする。これにより、自動車の窓ガラスの内面などに装着しても、お守りなどが大きく揺れて運転者の視界の妨げになる事がなく、安全に運転可能となる。【選択図】図１
0003137352.tif 000002
【実用新案登録請求の範囲】
【請求項１】
お守り札が収納された袋部と、
前記袋部一面に係止される略四角形の板状の係止部と、
前記係止部の一方側面の一部より延出する吸盤取付部と、
前記吸盤取付部先端に設けられた係合部と、
つまみ部に前記係合部を摺動自在に係止する凹部を備える吸盤とを備え、
前記係合部は前記凹部に嵌合可能とすることを特徴とするお守り。
【請求項２】
前記吸盤取付部は、前記係止部の一方側面端部より所定角度で中心部方向に傾斜して延出しており、
前記凹部は吸盤のつまみ部に配設された横孔であり、前記係合部は前記横孔に貫通嵌入される吸盤取付部先端より横方向への円柱棒状部であり、前記横孔貫通後リング状固定部材を嵌入して固定し該円柱状横棒部を中心として前記吸盤が回転可能で、停止位置に位置決め可能であることを特徴とする請求項１記載のお守り。
【請求項３】
前記吸盤取付部は、前記係止部の一方側面中央部より延出しており、
前記吸盤の凹部は吸盤のつまみ部に設けられた球面カップであり、前記係止部は前記球面カップ内に嵌合収納される略球形凸部であり、前記係合部を前記球面カップに嵌合して摺動自在に係合するユニバーサル継ぎ手とすることを特徴とする請求項１記載のお守り。
【請求項４】
前記吸盤取付部及び前記係止部は、略透明な一体化された合成樹脂で構成されていることを特徴とする請求項１乃至請求項３のいずれかに記載のお守り。
【請求項５】
前記係止部の一方面に接着剤層を形成し、該係止部を支持対象物に圧接して貼着係止することを特徴とする請求項１乃至請求項４のいずれかに記載のお守り。
【考案の詳細な説明】
【技術分野】
【０００１】
本考案はお守りに関し、例えば自動車の窓ガラスの内面に容易に装着可能なお守りに関するものである。
【背景技術】
【０００２】
従来のお守り、例えば自動車用のお守りは、自動車のフロントガラスの内面に押し当てて取り付けた吸盤にお守りを紐などで吊り下げているのが一般的である。
【０００３】
しかしながら、フロントガラスの内面に押し当てて取り付けた吸盤にお守りを紐などで吊り下げていると、自動車の走行中にお守りが大きく揺れて、視界を妨げ、危険を伴うという問題があった。
【考案の開示】
【考案が解決しようとする課題】
【０００４】
本考案は上述した課題を解決することを目的とし、お守りなどを自動車のフロントガラスの内面などに装着しても、大きく揺れるようなことがなく、視界の妨げにならず、運転の邪魔になるようなこともないお守りを提供することを目的とする。
【課題を解決するための手段】
【０００５】
上述した課題を解決するために本考案は、例えば以下の構成を備える。
【０００６】
即ち、お守り札が収納された袋部と、前記袋部一面に係止される略四角形の板状の係止部と、前記係止部の一方側面の一部より延出する吸盤取付部と、前記吸盤取付部先端に設けられた係合部と、つまみ部に前記係合部を摺動自在に係止する凹部を備える吸盤とを備え、前記係合部は前記凹部に嵌合可能とすることを特徴とする。
【０００７】
そして例えば、前記吸盤取付部は、前記係止部の一方側面端部より所定角度で中心部方向に傾斜して延出しており、前記凹部は吸盤のつまみ部に配設された横孔であり、前記係合部は前記横孔に貫通嵌入される吸盤取付部先端より横方向への円柱棒状部であり、前記横孔貫通後リング状固定部材を嵌入して固定し該円柱状横棒部を中心として前記吸盤が回転可能で、停止位置に位置決め可能であることを特徴とする。
【０００８】
また例えば、前記吸盤取付部は、前記係止部の一方側面中央部より延出しており、前記吸盤の凹部は吸盤のつまみ部に設けられた球面カップであり、前記係止部は前記球面カップ内に嵌合収納される略球形凸部であり、前記係合部を前記球面カップに嵌合して摺動自在に係合するユニバーサル継ぎ手とすることを特徴とする。
【０００９】
更に例えば、前記吸盤取付部及び前記係止部は、略透明な一体化された合成樹脂で構成されていることを特徴とする。あるいは、前記係止部の一方面に接着剤層を形成し、該係止部を支持対象物に圧接して貼着係止することを特徴とする。
【考案の効果】
【００１０】
本考案によれば、簡単な構成で、お守りなどを例えば自動車の窓ガラスの内面に装着しても、自動車の走行によりお守りなどが大きく揺れることがなく、視界の妨げにならず、安全に運転することができる。
また、お守りなどに貼着される系止部は吸盤の凹部に対して回転可能に嵌合されており、自在に角度を変え、変えた位置に位置決めすることができる。
【考案を実施するための最良の形態】
【００１１】
以下、本考案に係る一考案の実施の形態例について、図面を参照して詳細に説明する。
〔第１の実施の形態例〕
図１は本考案に係る一考案の実施の形態例の分解組み立て図、図２は本実施の形態例の組み立て状態を示す側面図、図３は本実施の形態例の組み立て状態を示す正面図、図４は本実施の形態例の使用例を説明するための図である。
【００１２】
図１〜図３において、１０は吸盤、２０は吸盤１０に対して袋部３０を揺動可能（回転可能）に連結する連結部である。連結部２０において、２３は略透明な板状合成樹脂で形成された袋部３０に貼着する略４角形形状の係止部を構成する板状部、２５は板状部２３の一方角より所定幅で所定距離延出する吸盤取付部を構成する板状延出部、２７は吸盤１０との係合部を構成する吸盤１０の横孔１５に嵌入される円柱状の吸盤連結部、２８は中央部の孔径が吸盤連結部に嵌入するリング状の吸盤固定部材である。
【００１３】
吸盤連結部２７は、横孔１５に嵌入されたときに先端がわずかに突出する長さに形成されており、吸盤１０の横孔１５に嵌入され横孔１５から突出した部分に、吸盤連結部２８が嵌入可能な孔が形成された吸盤固定部材２８が嵌入され、接着または熱融着により固着される。
【００１４】
３０は連結部２０の板状部２３に係止される（例えば貼着される）お守り札などが収納された袋部である。本実施の形態例では、連結部２０は透明な板状合成樹脂で、袋部は透明な柔軟素材、例えばビニールなどで構成されている。なお、これらの材料は任意に選択することができ、化学繊維を編んだものやカーボン製であっても、金属製であっても、一部を木製で構成しても良いことは勿論である。
【００１５】
板状延出部２５は、板状部２３の端部から所定角度で中央部方向に延出しており、鎖線で示すように端部を延長した場合に比し、所定角度で中心方向に延出している。角度は種々取り得るが、吸盤１０の横孔位置がちょうど板状部２３の側面のほぼ中央部になるようにすれば強度的に優れた結果が得られる。本実施の形態例では、約４度中心方向に向かっている。
【００１６】
板状延出部２５の延出距離は、連結部２０を袋部３０に貼着した際に、少なくとも吸盤１０がつまみ部１３の横孔１５を中心として回転可能となる距離が確保される必要がある。
【００１７】
吸盤１０が軸止された連結部２０の板状部２３の一方面に例えば両面テープを貼着あるいは接着剤を塗布し、接着剤層を形成して袋部３０の中央やや上端部近傍に板状部２３を圧接して固定係止する。
【００１８】
この状態の側面を図２、正面を図３に示している。図２に示すように、吸盤１０の横孔１５を中心として吸盤１０が、回転自在に構成されている（吸盤１０の横孔１５を中心として袋部３０が回転自在に構成されている）。
【００１９】
本実施の形態例では、任意の回転位置がそのまま維持される様に吸盤連結部２７の直径を横孔１５の直径と略同径にしている。これは、吸盤１０をやや柔軟素材で構成していることから、横孔１５の径も僅かに変形可能であり、吸盤連結部２７を圧入することにより回転自在で回転停止位置に位置決め固定することができる。
【００２０】
このため、吸盤１０を例えば自動車の窓部（例えばフロントウインドウ又はリアウインドウなど）に吸着して係止し、袋部１０を回転させることにより、仰角を自由に制御できる。
【００２１】
なお、以上の説明では、板状延出部２５と吸盤連結部２７及び吸盤固定部材２８とで略L字型の吸盤取付部を構成している例について説明した。しかし、以上の例に限定されるものではなく、板状部２３を略四角形の板状薄板で形成し、板状延出部２５と吸盤連結部２７とを断面略円形の一体化した構成としても良い。この場合には、板状延出部２５の基部を板状部２３に貼着又は接着固定することになる。又、この場合には全体を一体化した断面略丸型の部材で構成することが望ましい。
【００２２】
袋部３０は、内部に御守り札３５を収納し、周囲を熱溶着して液密に（気密に）構成することで、中の御守り札が傷むことがなく、いつまでも良好な状態に維持できる。更に、汚れたような場合であっても、水洗が可能となる。
【００２３】
実際の使用例を図４に示す。図４に示すように、自動車の例えばフロトガラスの左正面に、あるいはリアガラスに吸盤１０を吸着し、袋部３０を回転させて任意の位置に位置決めすると、その位置決めした状態を維持することができる。
【００２４】
本実施の形態では、お守りの収納された袋部３０の角度の変更を自由に行え、位置決めした状態に維持される。このため、お守りを紐などで吊り下げている場合のように自動車の走行中にお守りが大きく揺れて、視界を妨げたり、揺れた振動で吸盤が剥がれたりすることがない。
【００２５】
なお、以上の説明では、袋部３０内には、お守りが収納されていたが、お守り以外に他の装飾品などの小物を支持させることも可能である。また、吸盤１０により吸着されるお守りなどを支持させる箇所としては自動車のフロントガラス１４に限定されるものではない。吸盤１０が吸着され得る場所であれば、机の前であっても、窓ガラスであっても良い。
【００２６】
以上説明したように本実施の形態例によれば、お守りなどを例えば自動車のフロントガラスの内面に装着しても、自動車の走行によりお守りなどが大きく揺れることがなく、視界の妨げにならず、安全に運転することができる。また、お守りを入れた袋部３０などを支持する板状部２３は、吸盤１０に対し自在に角度を変えることができる。
【００２７】
〔第２の実施の形態例〕
第１の実施の形態例では、吸盤１０のつまみ部１３に横孔１５を配設し、この横孔１５に円柱形棒状の吸盤連結部２７を接合部として嵌入してこの吸盤連結部２７を中心として回転自在に構成した例について説明した。
【００２８】
しかしながら、本明は以上の例に限定されるものではなく、横孔に円柱形棒状の接合部を嵌入させるのではなく、ユニバーサルジョイント（球体継ぎ手）構造とすることにより、更に３６０度の各方向に自由な角度でお守り（袋部３０）を位置決めして固定することが可能となる。
【００２９】
吸盤１０の凹部と接合部とをユニバーサルジョイント構造の継ぎ手で係合した本発明にかかる第２の発明の実施の形態例を図５を参照して以下に説明する。第２の実施の形態例において、上述した第１の実施の形態例と同様構成には同一番号を附し詳細説明を省略する。図５は本発明にかかる第２の発明の実施の形態例を説明するための図である。
【００３０】
図５においては、上述した第１の実施の形態例と相違する吸盤との接合部を主に示している。図５において、１０は吸盤、１８は吸盤１０のつまみ部１３内に設けられている球面カップ、２６は板状部２３の側面中央部より延出する第２の実施の形態例の板状延出部、２９は板状延出部２６に固着されている球面カップ１８に摺動自在に係合する接合部を構成する略球形凸部である。
【００３１】
吸盤１０は可撓性を有する樹脂で構成されており、球面カップ１８に続く開口部は略球形凸部２９の球体部を圧入することにより広がって、略球形凸部２９を球面カップ１８内に嵌入係合させることができる。そして、略球形凸部２９を中心として摺動自在（あらゆる方向に回転自在）となるが、特定の位置に位置決めしたときには、その位置決め位置で固定される様に形成する。
【００３２】
このため、板状部２３（板状部２３が貼着される小物を含む。）を吸盤１０を中心として自由な角度に位置決めでき、第１の実施の形態例に比し更に自由度が増すことになる。
【００３３】
なお、第２の実施の形態例においては、板状延出部２６を板状部２３の側面中央部から延出する様に構成したが、以上の例に限定されるものではなく、第１の実施の形態例と同様に板状部２３の一方角から中央部に向かって傾斜するものであってもよく、両角から中央部に向かって延出する幅狭の板状部を先端部近傍で接続し、その先に略球形凸部２９を固着しても良い。
【００３４】
更に、板状延出部２６を根本と先端部を略同幅に形成しても、先端に行くに従って細くなるように形成しても良い。また、先端まで板状に形成するのではなく、先端部では円柱状に形成し、略球形凸部２９との接合面積を広くしてもよい。
【図面の簡単な説明】
【００３５】
【図１】本考案に係る一考案の実施の形態例の分解組み立て図である。
【図２】本実施の形態例の側面図である。
【００３６】
【図３】本実施の形態例の正面図である。
【図４】本実施の形態例の使用状態を説明するための図である。
【図５】本発明にかかる第２の実施の形態例の継ぎ手部分の構造を説明するための図である。
【符号の説明】
【００３７】
１０    吸盤
１３    つまみ部
１５    横孔
１８    球面カップ
２０    連結部
２３    板状部
２５、２６    板状延出部
２７    吸盤連結部
２８    吸盤固定部材
２９    略球形凸部
３０    袋部
３５    お守り札 
【図１】
0003137352.tif 000003
【図２】
0003137352.tif 000004
【図３】
0003137352.tif 000005
【図４】
0003137352.tif 000006
【図５】
0003137352.tif 000007